(57)【要約】【課題】高い意匠性を有し、かつ、商品の購買意欲を刺激し得るシート材を提供すること。【解決手段】本発明のシート材は、帯状であり、切込み部１１と接続部１２とが縦方向に沿って交互に配置されて構成された切込み列１０が、横方向に間隔をあけて多列状に形成され、接続部１２が、隣接する切込み列１０の切込み部１１の位置に対応するように配置されることにより横方向に伸縮可能な伸縮部２０と、少なくとも横方向片端部に設けられた貼着部３０とを有する。【選択図】図１
2016009098.tif 000002
【特許請求の範囲】
【請求項１】
切込み部と接続部とが縦方向に沿って交互に配置されて構成された切込み列が、横方向に間隔をあけて多列状に形成され、該接続部が、隣接する切込み列の切込み部の位置に対応するように配置されることにより横方向に伸縮可能な伸縮部と、
少なくとも横方向片端部に設けられた貼着部とを有する、帯状のシート材。
【請求項２】
横方向両端部にそれぞれ貼着部が設けられている、請求項１に記載のシート材。
【請求項３】
横方向中央部に表示部が設けられている、請求項１または２に記載のシート材。
【請求項４】
横方向端部に表示部が設けられている、請求項１から３のいずれかに記載のシート材。
【請求項５】
請求項１から４のいずれかに記載のシート材を用いた、シール。
【請求項６】
請求項１から４のいずれかに記載のシート材を用いた、ラベル。
【請求項７】
請求項１から４のいずれかに記載のシート材を用いた、包装材。
【請求項８】
請求項１から４のいずれかに記載のシート材を用いた、ＰＯＰ広告。
【発明の詳細な説明】
【技術分野】
【０００１】
本発明は、シール、テープ、ラベル、包装材（例えば、掛け紙）、ＰＯＰ（Ｐｏｉｎｔ  ｏｆ  ｐｕｒｃｈａｓｅ  ａｄｖｅｒｔｉｓｉｎｇ）広告等として用いられるシート材に関する。
【背景技術】
【０００２】
商品のラベルや包装材として、様々なものが提案されている。中でも、意匠性の高いものとして、例えば、蛍光色を発するラベル（特許文献１参照）やホログラムラベル（シート）等が提案されている。しかし、商品の購買意欲をより高め得るものが求められている。
【先行技術文献】
【特許文献】
【０００３】
【特許文献１】特開２０１４−０３８２８３号公報
【発明の概要】
【発明が解決しようとする課題】
【０００４】
本発明は、かかる事情に鑑みてなされたものであり、その主たる目的は、高い意匠性を有し、かつ、商品の購買意欲を刺激し得るシート材を提供することにある。
【課題を解決するための手段】
【０００５】
本発明のシート材は、帯状であり、切込み部と接続部とが縦方向に沿って交互に配置されて構成された切込み列が、横方向に間隔をあけて多列状に形成され、該接続部が、隣接する切込み列の切込み部の位置に対応するように配置されることにより横方向に伸縮可能な伸縮部と、少なくとも横方向片端部に設けられた貼着部とを有する。
１つの実施形態においては、横方向両端部にそれぞれ貼着部が設けられている。
１つの実施形態においては、横方向中央部に表示部が設けられている。
１つの実施形態においては、横方向端部に表示部が設けられている。
本発明の別の局面によればシールが提供される。このシールには、上記シート材が用いられる。
本発明のさらに別の局面によればラベルが提供される。このラベルには、上記シート材が用いられる。
本発明のさらに別の局面によれば包装材が提供される。この包装材には、上記シート材が用いられる。
本発明のさらに別の局面によればＰＯＰ広告が提供される。このＰＯＰ広告には、上記シート材が用いられる。
【発明の効果】
【０００６】
本発明によれば、シート材に部分的に形成された伸縮部が網目状に広がるので、高い意匠性が得られる。しかも、伸縮部から商品を視認することができるので、商品の購買意欲を刺激し得る。
【図面の簡単な説明】
【０００７】
【図１】本発明の一実施例を示すシート材を裏から見た図である。
【図２】図１に示すシート材を商品等に貼り付けた状態を示す図である。
【図３】本発明の別の実施例を示すシート材を裏から見た図である。
【図４】（ａ）は本発明のさらに別の実施例を示すシート材を裏から見た図であり、（ｂ）は（ａ）に示すシート材の使用状態を示す図である。
【発明を実施するための形態】
【０００８】
以下、本発明の具体的実施例を図面に基づいて詳細に説明する。
【０００９】
図１および図２は、本発明のシート材の一実施例を示す概略図であり、図１はシート材を裏から見た図であり、図２は図１に示すシート材を商品等に貼り付けた状態を示す図である。本実施例のシート材は、例えば、商品のラベルとして好適に用いられる。
【００１０】
図１に示すように、本実施例のシート材１は、右方向に向かうに従って幅広の帯状とされ、その中央部には、複数の切込み列１０，１０，１０・・・が横方向に所定の間隔Ｄをあけて多列状に形成されている。各切込み列１０は、切込み部１１と接続部１２とが縦方向に沿って交互に配置されて構成されている。接続部１２は、隣接する切込み列１０の切込み部１１の位置に対応するように配置されている。このような構成により、複数の切込み列１０，１０，１０・・・は横方向に伸縮可能な伸縮部２０を構成する。具体的には、図２に示すように、シート材１を横方向に（矢印の方向に）引っ張ると、複数の切込み列１０，１０，１０・・・は網目状に広がる。各切込み部１１の長さ、各接続部１２の長さおよび切込み列１０の間隔を適宜調整することにより、所望の網目模様を得ることができる。本実施例では、シート材１の形状と対応して、右方向に向かうに従って網目の大きさが大きくなるように各切込み列１０が形成されている。
【００１１】
本実施例では、シート材１の横方向両端部はそれぞれ貼着部３０，３０とされている。シート材１の貼り付けは、例えば、一方の貼着部３０を商品に貼り付けた後、シート材１を横方向に引っ張って、伸縮部２０を伸ばした状態のまま、もう一方の貼着部３０を商品に貼り付けることにより行う。実用的には、貼着部３０は、商品等に貼り付けられるまで、剥離紙等により保護されていることが好ましい。
【００１２】
シート材１を構成する基材としては特に限定されず、例えば、紙、樹脂フィルムが用いられる。貼着部３０は、代表的には、基材に粘着剤層を形成することにより設けられる。この粘着剤層を形成する粘着剤は、シート材１を引っ張って伸縮部２０を網目状に広げた状態を保持し得る粘着力を有することが好ましい。
【００１３】
図３に示すように、商品の包装材（例えば、ビニールパック等を束ねる掛け紙）として好適に用いられる帯状のシート材２は、その中央部が商品名等を記載する表示部４０とされ、この表示部４０の左右に伸縮部２０，２０が形成されている。シート材２の横方向両端部はそれぞれ貼着部３０，３０とされており、一方の貼着部３０を商品に貼り付けた後、シート材２を横方向に引っ張って、伸縮部２０，２０を伸ばした状態のまま、もう一方の貼着部３０をシート材２の片端部に貼り付けることにより商品を包装する。シート材２によれば、二つの伸縮部２０，２０から内容物が視認でき、高い意匠性が得られる上に、商品の購買意欲を刺激し得る。また、横方向両端部にそれぞれ貼着部が設けられているので、上記のように簡便に商品を包装することができる。
【００１４】
図４に示すように、ＰＯＰ広告として好適に用いられるシート材３は、右方向に向かうに従って幅広の帯状部２１と、この帯状部２１の左端から横方向に連続して設けられた表示部４０とが基材で一連一体に形成されている。帯状部２１の右端部は貼着部３０とされ、中央部には伸縮部２０が形成されている。本発明のシート材は、本実施例のように、その一部が帯状である形態も含み得る。シート材３は、例えば、表示部４０に商品名、商品の説明、セールスポイント等を記載し、貼着部３０をその商品や商品棚などに貼り付けて使用する。具体的には、伸縮部２０が貼着部３０よりも下に位置するように貼り付けて、表示部４０を下に吊り下げるようにしてもよいし、図４（ｂ）に示すように、伸縮部２０が貼着部３０よりも上に位置するように貼り付けて、表示部４０が前方へ飛び出るようにしてもよい。シート材３は、網目状に広がる伸縮部を有するので、非常に目立ち、表示部に記載された内容を消費者の視覚に強く訴えることができ、商品の購買意欲を刺激し得る。
【００１５】
本発明のシート材は、上記実施例の構成に限らず適宜変更可能である。例えば、基材の寸法や形状、伸縮部の数や位置や形状、貼着部の数や位置や形状、表示部の数や位置や形状は、適宜に変更可能である。また、上記実施例では、商品のラベル、包装材およびＰＯＰ広告として用いる場合について説明したが、本発明のシート材は、例えば、意匠性の高いシールやテープとしても適用できる。
【符号の説明】
【００１６】
１          シート材
２          シート材
３          シート材
１０          切込み列
１１          切込み部
１２          接続部
２０          伸縮部
３０          貼着部
４０          表示部
【図１】
2016009098.tif 000003
【図２】
2016009098.tif 000004
【図３】
2016009098.tif 000005
【図４】
2016009098.tif 000006